(57)【要約】【課題】余分なメモリを要することなく，紙の浪費を防止しつつ，エラーメール等の通常と異なる電子メールを受信した場合にそのことをユーザに確実に認識させることができるファクシミリ装置およびファクシミリ印刷プログラムを提供すること。【解決手段】電子メールを受信したときに，電子メールの本文部分を印刷する設定になっているか否かを判断する（＃２）。印刷しない設定になっていたとしても（＃２：Ｎｏ），受信した電子メールに所定の形式の添付ファイルが添付されていない場合には（＃５：Ｎｏ），電子メールの本文部分を印刷する（＃８）。このため，本文部分の印刷をしない設定が選択されていても，エラーメール等，所定の形式の添付ファイルが添付されていない電子メールの受信があった旨およびその原因をユーザに認識させることができる。【選択図】            図６
2004297513.tif 000002
【特許請求の範囲】
【請求項１】
割り当てられているメールアドレスを宛先として有する電子メールを受信する電子メール受信手段と，
受信した電子メールに添付ファイルが添付されているか否かを判別する添付ファイル判別手段と，
受信した電子メールに添付ファイルが添付されていると判別された場合に，その電子メールの本文を印刷しないことと決定し，その添付ファイルの内容を印刷することと決定する通常受信時印刷指示手段と，
受信した電子メールに添付ファイルが添付されていないと判別された場合に，その電子メールの本文を印刷することと決定するエラー受信時印刷指示手段とを有することを特徴とするファクシミリ装置。
【請求項２】
割り当てられているメールアドレスを宛先として有する電子メールを受信する電子メール受信手段と，
受信した電子メールの本文を印刷するかしないかを設定する本文印刷設定手段と，
受信した電子メールに添付ファイルが添付されているか否かを判別する添付ファイル判別手段と，
受信した電子メールに添付ファイルが添付されていると判別された場合に，その電子メールの本文を印刷するかしないかを前記本文印刷設定手段の設定に従って決定し，その添付ファイルの内容を印刷することと決定する通常印刷指示手段と，
受信した電子メールに添付ファイルが添付されていないと判別された場合に，前記本文印刷設定手段の設定にかかわらず，その電子メールの本文を印刷することと決定する本文印刷指示手段とを有することを特徴とするファクシミリ装置。
【請求項３】
請求項１または請求項２に記載するファクシミリ装置において，
前記添付ファイル判別手段は，受信した電子メールに所定のファクシミリドキュメント形式の添付ファイルが添付されている場合に限り，添付されていると判別することを特徴とするファクシミリ装置。
【請求項４】
割り当てられているメールアドレスを宛先として有する電子メールを受信するファクシミリ装置のコンピュータを，
受信した電子メールに添付ファイルが添付されているか否かを判別する添付ファイル判別手段，
受信した電子メールに添付ファイルが添付されていると判別された場合に，その電子メールの本文を印刷しないことと決定し，その添付ファイルの内容を印刷することと決定する通常受信時印刷指示手段，および，
受信した電子メールに添付ファイルが添付されていないと判別された場合に，その電子メールの本文を印刷することと決定するエラー受信時印刷指示手段として機能させることを特徴とするファクシミリ印刷プログラム。
【請求項５】
割り当てられているメールアドレスを宛先として有する電子メールを受信するファクシミリ装置のコンピュータを，
受信した電子メールの本文を印刷するかしないかを設定する本文印刷設定手段，
受信した電子メールに添付ファイルが添付されているか否かを判別する添付ファイル判別手段，
受信した電子メールに添付ファイルが添付されていると判別された場合に，その電子メールの本文を印刷するかしないかを前記本文印刷設定手段の設定に従って決定し，その添付ファイルの内容を印刷することと決定する通常印刷指示手段，および，
受信した電子メールに添付ファイルが添付されていないと判別された場合に，前記本文印刷設定手段の設定にかかわらず，その電子メールの本文を印刷することと決定する本文印刷指示手段として機能させることを特徴とするファクシミリ印刷プログラム。
【発明の詳細な説明】
【０００１】
【発明の属する技術分野】
本発明は，インターネット経由で文書を受信することができるファクシミリ装置に関する。さらに詳細には，紙の浪費を防止しつつ，エラーメール等の通常と異なる電子メールを受信した場合にそのことをユーザに確実に認識させることができるファクシミリ装置およびファクシミリ印刷プログラムに関するものである。
【０００２】
【従来の技術】
近年，通信費の削減のため，インターネット経由で文書の送受信を行うインターネットファクシミリ装置が使用されるようになってきている。このようにインターネット経由でファクシミリ通信を行う場合，電子メールの形式でデータの送信がなされる。送信される電子メールにはメールヘッダやメール本文等の部分が含まれている。送付すべき文書の画像は，その添付ファイルとして付加されている。したがって，インターネットファクシミリ装置でこれを受信した場合には，原則的には，メールヘッダとメール本文とを含む本文部分のプリントと，添付ファイルを展開した画像のプリントとが行われることとなる。むろん後者が，ファクシミリ送信の対象たる文書である。
【０００３】
ところで上記の本文部分のプリントは実際には，受信者にとってほとんど情報として役に立たない。単なる定型文に過ぎないからである。このため，インターネットファクシミリ装置によっては，本文部分のプリントをしないように設定できるようになっていることがある。紙の浪費を防止するためである。
【０００４】
ところが，そのような設定をすることにより，次のような弊害もある。すなわち，インターネットファクシミリ装置からファクシミリ送信した場合に，宛先なし，容量オーバー等の原因により送信エラーとなる場合がある。この場合には，相手方サーバからエラーメールが返送されてくる。エラーメールの内容は，相手方サーバにもよるが，添付ファイルがなく本文部分のみである場合がある。そしてその本文部分に，送信時刻や宛先，エラーの原因等の情報が記述されている。しかしながら，本文部分のプリントをしないように設定されていると，エラーメールを受信しても何もプリントされることがない。受信したエラーメールはやがて消去されてしまう。したがって，送信エラーがあったことをユーザが認識しないままとなってしまう。
【０００５】
このような事態を防止できるインターネットファクシミリ装置として，特許文献１に記載された画像通信装置がある。その画像通信装置では，受信した電子メールを送信済みメールと比較することにより，受信した電子メールがエラーメールであるか否かを識別するようにしている。エラーメールであった場合には，必要な情報を抽出して編集し，プリントするのである。
【０００６】
【特許文献１】
特開２０００−３３１９号公報
【０００７】
【発明が解決しようとする課題】
しかしながら，特許文献１の画像通信装置では，ファクシミリ送信した場合に，送信済みメールを当分保存しておく必要がある。このために余分なメモリ容量を要する。また，送信済みメールが消去された後にエラーメールが届いた場合には，狙いとする処理ができない。
【０００８】
本発明は，前記した従来の技術が有する問題点を解決するためになされたものである。すなわちその課題とするところは，余分なメモリを要することなく，紙の浪費を防止しつつ，エラーメール等の通常と異なる電子メールを受信した場合にそのことをユーザに確実に認識させることができるファクシミリ装置およびファクシミリ印刷プログラムを提供することにある。
【０００９】
【課題を解決するための手段】
この課題の解決を目的としてなされた本発明のファクシミリ装置は，割り当てられているメールアドレスを宛先として有する電子メールを受信する電子メール受信手段と，受信した電子メールに添付ファイルが添付されているか否かを判別する添付ファイル判別手段と，受信した電子メールに添付ファイルが添付されていると判別された場合に，その電子メールの本文を印刷しないことと決定し，その添付ファイルの内容を印刷することと決定する通常受信時印刷指示手段と，受信した電子メールに添付ファイルが添付されていないと判別された場合に，その電子メールの本文を印刷することと決定するエラー受信時印刷指示手段とを有している。
【００１０】
このファクシミリ装置では，電子メール受信手段が，自己に割り当てられているメールアドレスを宛先として有する電子メールを受信する。電子メールを受信すると，添付ファイル判別手段が，その電子メールに添付ファイルが添付されているか否かを判別する。添付ファイルが添付されていると判別された場合には，通常受信時印刷指示手段が，その電子メールの本文を印刷しないことと決定し，その添付ファイルの内容を印刷することと決定する。添付ファイルが添付されていないと判別された場合には，エラー受信時印刷指示手段が，その電子メールの本文を印刷することと決定する。
【００１１】
ここで，通常のインターネットファクシミリとして送信された電子メールには，添付ファイルが添付されているはずである。したがって，そのような電子メールを受信した場合には，通常受信時印刷指示手段により，その電子メールの本文を印刷しないことと決定され，その添付ファイルの内容を印刷することと決定される。このため，添付ファイルの内容のみが印刷されることとなる。すなわち，本文部分の無駄な印刷がなされることがない。これにより，紙の浪費が防止される。エラーメールのような通常と異なる電子メールには，添付ファイルが添付されていない場合がある。したがって，そのような電子メールを受信した場合には，エラー受信時印刷指示手段により，その電子メールの本文を印刷することと決定される。このため，電子メールの本文の内容が印刷されることとなる。これにより，送信エラーがあった旨をユーザに認識させることができる。ここにおいて，送信済みメールを保存しておく必要はない。このため，余分なメモリ容量を要しない。また，送信済みメールが消去された後にエラーメールが届いた場合でも何の問題もない。
【００１２】
また，本発明の別のファクシミリ装置は，割り当てられているメールアドレスを宛先として有する電子メールを受信する電子メール受信手段と，受信した電子メールの本文を印刷するかしないかを設定する本文印刷設定手段と，受信した電子メールに添付ファイルが添付されているか否かを判別する添付ファイル判別手段と，受信した電子メールに添付ファイルが添付されていると判別された場合に，その電子メールの本文を印刷するかしないかを本文印刷設定手段の設定に従って決定し，その添付ファイルの内容を印刷することと決定する通常印刷指示手段と，受信した電子メールに添付ファイルが添付されていないと判別された場合に，本文印刷設定手段の設定にかかわらず，その電子メールの本文を印刷することと決定する本文印刷指示手段とを有している。
【００１３】
このファクシミリ装置の場合には，電子メールを受信した際にその本文を印刷するかしないかを，本文印刷設定手段により設定することができる。したがって，電子メールの本文を印刷するかしないかは，本文印刷設定手段の設定によって決定されるのが原則である。受信した電子メールに添付ファイルが添付されていると判別された場合には，その原則通りの処理がなされる。すなわち，通常印刷指示手段は，添付ファイルの内容を印刷することと決定するだけでなく，本文を印刷するかしないかを本文印刷設定手段の設定に従って決定する。しかしながら，受信した電子メールに添付ファイルが添付されていないと判別された場合には，原則と異なり，本文印刷指示手段は，本文印刷設定手段の設定にかかわらず，その電子メールの本文を印刷することと決定する。これにより，エラーメールのような，通常と異なり添付ファイルが添付されていない電子メールを受信した場合でも，ユーザにそのことを確実に認識させることができる。
【００１４】
本発明のファクシミリ装置において，添付ファイル判別手段は，受信した電子メールに所定のファクシミリドキュメント形式の添付ファイルが添付されている場合に限り，添付されていると判別することが望ましい。このようにした場合には，受信した電子メールに添付ファイルが添付されていたとしても，その添付ファイルの形式が，所定のファクシミリドキュメント形式でない場合には，その電子メールは，添付ファイルが添付されていない電子メールと同様の扱いを受けることとなる。インターネットに接続されたファクシミリ装置の場合，パソコン等から発信された電子メールを受け取ることもあり得る。そのような電子メールには，文書ファイル等，所定のファクシミリドキュメント形式と異なる形式の添付ファイルが添付されていることもあり得る。しかしそのような電子メールは，ファクシミリ装置にて本来受信しようとしているものではない。したがって，このような取り扱いをすることが望ましいのである。
【００１５】
本発明はまた，割り当てられているメールアドレスを宛先として有する電子メールを受信するファクシミリ装置のコンピュータを，受信した電子メールに添付ファイルが添付されているか否かを判別する添付ファイル判別手段，受信した電子メールに添付ファイルが添付されていると判別された場合に，その電子メールの本文を印刷しないことと決定し，その添付ファイルの内容を印刷することと決定する通常受信時印刷指示手段，および，受信した電子メールに添付ファイルが添付されていないと判別された場合に，その電子メールの本文を印刷することと決定するエラー受信時印刷指示手段として機能させるファクシミリ印刷プログラムにも及ぶ。
【００１６】
もちろん本発明は，割り当てられているメールアドレスを宛先として有する電子メールを受信するファクシミリ装置のコンピュータを，受信した電子メールの本文を印刷するかしないかを設定する本文印刷設定手段，受信した電子メールに添付ファイルが添付されているか否かを判別する添付ファイル判別手段，受信した電子メールに添付ファイルが添付されていると判別された場合に，その電子メールの本文を印刷するかしないかを本文印刷設定手段の設定に従って決定し，その添付ファイルの内容を印刷することと決定する通常印刷指示手段，および，受信した電子メールに添付ファイルが添付されていないと判別された場合に，本文印刷設定手段の設定にかかわらず，その電子メールの本文を印刷することと決定する本文印刷指示手段として機能させるファクシミリ印刷プログラムにも及ぶ。
【００１７】
【発明の実施の形態】
以下，本発明を具体化した実施の形態について，添付図面を参照しつつ詳細に説明する。
【００１８】
本実施の形態に係るファクシミリ装置は，図１の外観図に示すように，原稿給紙トレイ１，原稿排紙トレイ２，記録紙排紙トレイ３，記録紙供給トレイ４，操作パネル５，外部メモリ挿入口６，外部メモリ取り出しボタン６１等を有している。原稿給紙トレイ１は，送信しようとする原稿を載置するための場所である。ここに載置された原稿が，１枚ずつ読み取りに供されるようになっている。原稿排紙トレイ２は，読み取り後に排出された原稿が載置されるものである。記録紙排紙トレイ３は，受信した内容をプリントアウトした記録紙が載置されるものである。記録紙供給トレイ４は，受信した内容をプリントアウトするための記録紙を供給するものである。操作パネル５は，このファクシミリ装置をユーザが操作するためのボタン等が配置されている場所である。外部メモリ挿入口６は，フロッピィディスクあるいは光磁気ディスク等の外部メモリを挿入する場所である。外部メモリ取り出しボタン６１は，外部メモリ挿入口６の内部に挿入されている外部メモリを取り出すためのボタンである。
【００１９】
本実施の形態に係るファクシミリ装置は，図２に示すようにして，インターネットに接続される。図２の（ａ）は，Ａ社に設置されたファクシミリ装置と，Ｂ社に設置されたファクシミリ装置とがともに，それぞれの専用回線を介してインターネットに接続されている状況を示している。Ａ社のファクシミリ装置の電子メールアドレスは，ｎａｇａｔａ＠ａ．ｃｏ．ｊｐである。Ｂ社のファクシミリ装置の電子メールアドレスは，ｍａｒｕｙａｍａ＠ｂ．ｃｏ．ｊｐである。図２の（ｂ）は，Ａ社に設置されたファクシミリ装置が一般電話回線およびプロバイダを介してインターネットに接続され，Ｂ社に設置されたファクシミリ装置が専用回線を介してインターネットに接続されている状況を示している。Ａ社のファクシミリ装置の電子メールアドレスは，ｎａｇａｔａ＠ａ．ｏｒ．ｊｐである。Ｂ社のファクシミリ装置の電子メールアドレスは，ｙａｍａｕｃｈｉ＠ｂ．ｃｏ．ｊｐである。
【００２０】
本実施の形態に係るファクシミリ装置の操作パネル５は，図３の上面図に示すように構成されている。操作パネル５には，ワンタッチダイヤルキー５２，表示部５３，カーソルキー５４，Ｙｅｓキー５５，ログオンキー５６，ファンクションキー５７等が設けられている。ワンタッチダイヤルキー５２は，送信先の電子メールアドレスを登録するためのキーである。表示部５３は，バイナリファイル名の表示等，ファクシミリ装置の操作や設定に必要な種々の表示を行う画面である。カーソルキー５４は，表示部５３に表示されたカーソルを移動させるキーである。Ｙｅｓキー５５は，表示部５３に表示されたメッセージに応答するためのキーである。ログオンキー５６は，インターネットにログオンするためのキーである。ファンクションキー５７は，種々の機能を実行したり設定したりするためのキーである。
【００２１】
本実施の形態に係るファクシミリ装置は，概略，図４のブロック図に示すように構成されている。すなわち，このファクシミリ装置には，操作パネル５の他，中央制御部３１，読み取り部３２，メモリ部３４，プリント部３５，通信制御部３６が含まれている。中央制御部３１は，ファクシミリ装置全体の制御を行うブロックである。読み取り部３２は，原稿給紙トレイ１から１枚ずつ供給された原稿の画像を読み取る部分である。メモリ部３４は，制御プログラムや，制御上の種々の設定値，受信したデータ等を記録するブロックである。プリント部３５は，受信したイメージデータを記録紙にプリントアウトする部分である。通信制御部３６は，インターネットとの接続による電子メールの送受信を行う部分である。また，外部メモリ挿入口６の内部に挿入されている外部メモリ３３には，デコードされたバイナリデータ等が格納されるようになっている。
【００２２】
本実施の形態に係るファクシミリ装置によるファクシミリ送信は，次のようにして行われる。すなわち，原稿給紙トレイ１から１枚ずつ給紙された原稿の画像が，読み取り部３２で読み取られる。読み取られた画像データは，所定のファクシミリドキュメント形式（ＴＩＦＦ形式，ｐｉｃｔ形式等）のファイルに変換される。そしてそのファイル形式でメモリ部３４に格納される。そして，そのファイルを添付ファイルとして添付した電子メールを，送信先の電子メールアドレスに向けて，インターネットに送出するのである。
【００２３】
本実施の形態に係るファクシミリ装置は，電子メールを受信する際には，通信制御部３６により，自己のメールアカウントが登録されているメールサーバにアクセスする。そして，自己のメールアドレスを宛先とする電子メールがあるか否かを確認する。ある場合にはメールサーバからその電子メールを自己のメモリ部３４にダウンロードする。この処理は，あらかじめ設定された所定の周期で行われれる。その周期はユーザによる調整が可能である。また，ユーザがログオンキー５６を押下した時にも行われる。
【００２４】
また，本実施の形態に係るファクシミリ装置では，ファクシミリとしての電子メールを受信したときに，電子メールの本文部分（メールヘッダやメール本文等の部分）を印刷するモードと印刷しないモードとがある。どちらのモードを選択するかは，ユーザが設定することができる。そのためには，ファンクションキー５７を連打して，図５に示す画面が表示部５３に表示されている状態にする。その状態で，「印刷する」と「印刷しない」のいずれかをカーソルキー５４により選択する。そして，Ｙｅｓキー５５を押下してその選択を確定させる。この選択は，メモリ部３４に，従前の選択に上書きして保存される。
【００２５】
次に，本実施の形態に係るファクシミリ装置において，電子メールを受信したときになされる処理を，図６のフローチャートにより説明する。この処理ではまず，電子メールの受信があったか否かを判断する（＃１）。受信がない場合には（＃１：Ｎｏ），直ちに処理を終了する。
【００２６】
受信がある場合には（＃１：Ｙｅｓ），＃２へ進む。そして，電子メールの本文部分を印刷するモードが選択されているか否かを判断する（＃２）。すなわち，図５に示した画面での設定を確認する。本文部分を印刷する設定になっている場合には（＃２：Ｙｅｓ），＃３へ進む。そして，受信した電子メールに添付ファイルが添付されているか否かを判断する（＃３）。ここでは，電子メールに添付ファイルが添付されており，かつ，その添付ファイルの形式が前述のファクシミリドキュメント形式である場合に限り，Ｙｅｓと判断するようになっている。
【００２７】
受信した電子メールに当該形式の添付ファイルが添付されている場合には（＃３：Ｙｅｓ），その電子メールは，ファクシミリとして送信されたものであると考えられる。そこで，本文部分をプリントしてから（＃４），その添付ファイルを画像展開し（＃６），そしてプリントする（＃７）。本文部分をプリントするのは，図５の画面での設定が，「印刷する」になっているからである。そして処理を終了する。なお，当該添付ファイルは，バイナリデータにデコードされて外部メモリ３３にも記録される。
【００２８】
＃３において，受信した電子メールに当該形式の添付ファイルが添付されていない場合には（＃３：Ｎｏ），その電子メールは，通常のファクシミリとして送信されたものではないと考えられる。例えば，過去にファクシミリとしての電子メールを送信した送信先サーバからのエラーメールである場合や，何らかのミスにより普通の電子メールとして送信されたものである場合が考えられる。特に前者の場合には，添付ファイルが全く添付されておらず，本文テキストの部分にエラーに関する情報が記載された電子メールである場合が多い。そこで，本文部分のプリントを行う（＃８）。これによりユーザは，そのような電子メールの受信があった旨を認識することができる。特に，その電子メールがエラーメールであった場合には，図８に例示するようなプリントが得られる。これにより，自分が送信したファクシミリが不達であったことを知ることができる。そして処理を終了する。
【００２９】
＃２において，本文部分を印刷しない設定になっている場合には（＃２：Ｎｏ），＃５へ進む。そして，受信した電子メールに添付ファイルが添付されているか否かを判断する（＃５）。ここでも前述の＃３の場合と同様に，電子メールに添付ファイルが添付されており，かつ，その添付ファイルの形式がファクシミリドキュメント形式である場合に限り，Ｙｅｓと判断される。
【００３０】
受信した電子メールに当該形式の添付ファイルが添付されている場合には（＃５：Ｙｅｓ），その電子メールは，ファクシミリとして送信されたものであると考えられる。そこで，本文部分をプリントすることなく，その添付ファイルを画像展開し（＃６），そしてプリントする（＃７）。本文部分をプリントしないのは，図５の画面での設定が，「印刷しない」になっているからである。これによりユーザは，無用な情報のプリントのために印刷用紙を浪費しないですむ。そして処理を終了する。
【００３１】
＃５において，受信した電子メールに当該形式の添付ファイルが添付されていない場合には（＃５：Ｎｏ），その電子メールは，＃３：Ｎｏの場合と同様に，通常のファクシミリとして送信されたものではないと考えられる。そこで，本文部分のプリントを行う（＃８）。これによりユーザは，設定上では本文部分の印刷をしないことになっているにもかかわらず，そのような電子メールの受信があった旨を認識することができる。特に，その電子メールがエラーメールであった場合には，自分が送信したファクシミリが不達であったことを知ることができる。そして処理を終了する。
【００３２】
以上で図６の処理はすべて終了する。なお，複数の電子メールを受信した場合には，各電子メールについて同様の処理を実行する。
【００３３】
図６のフローチャートでは，電子メールの本文部分を印刷する設定になっているか否かをまず判断し（＃２），次いで，受信した電子メールに所定の形式の添付ファイルが添付されているか否かを判断する（＃３），という順序となっている。しかしこの順序は逆でもよい。逆の順序を採用した場合のフローチャートを図７に示す。
【００３４】
この場合には，＃１でＹｅｓ（受信あり）と判断されると，その電子メールに所定の形式の添付ファイルが添付されているか否かが先に判断される（＃１２）。添付されている場合には（＃１２：Ｙｅｓ），次に，本文部分を印刷する設定になっているか否かが判断される（＃１３）。本文部分を印刷する設定になっている場合には（＃１３：Ｙｅｓ），本文部分のプリント（＃４），添付ファイルの画像展開（＃６），そのプリント（＃７）が行われる。本文部分を印刷しない設定になっている場合には（＃１３：Ｎｏ），添付ファイルの画像展開（＃６），そのプリント（＃７）が行われる。受信した電子メールに所定の形式の添付ファイルが添付されていない場合には（＃１２：Ｎｏ），本文部分の印刷の設定について判断することなく，本文部分のプリントを行う（＃８）。これにより，図６のフローチャートの場合と同様にユーザは，設定上では本文部分の印刷をしないことになっていても，そのような電子メールの受信があった旨を認識することができる。
【００３５】
以上詳細に説明したように本実施の形態に係るファクシミリ装置では，電子メールを受信したときに，受信した電子メールに所定の形式の添付ファイルが添付されているか否かの判断（＃３，＃５，＃１２）を行うようにしている。そして，所定の形式の添付ファイルが添付されていない場合には（＃５：Ｎｏ，＃１２：Ｎｏ），電子メールの本文部分の印刷の設定如何にかかわらず，電子メールの本文部分を印刷することとしている（＃８）。このため，本文部分の印刷をしない設定が選択されていても，エラーメール等，所定の形式の添付ファイルが添付されていない電子メールの受信があった旨をユーザに認識させることができる。また，その電子メールの本文部分の内容をユーザに認識させることができる。
【００３６】
したがってユーザは，自己がファクシミリとして送信した電子メールが何らかの原因により不達となった場合でも，その事実およびその概略原因を認識することができる。その一方で，本文部分の印刷をする設定を選択しておかなくても上述の効果が得られる。このため，通常のファクシミリ受信時に本文印刷のために無駄な記録紙を消費してしまうことがない。また，自己がファクシミリとして送信した電子メールが保存されていなくても，上述の効果が得られる。したがって，送信済みの電子メールを消去してしまった後にエラーメールを受信した場合でも何の問題もない。よって，送信済みの電子メールを長期間にわたって保存しておく必要がない。このため，過大なメモリ容量を要することがない。
【００３７】
なお，本実施の形態は単なる例示にすぎず，本発明を何ら限定するものではない。したがって本発明は当然に，その要旨を逸脱しない範囲内で種々の改良，変形が可能である。例えば，本実施の形態のファクシミリ装置は，電子メールの受信を，自らメールサーバにアクセスするパソコン方式で行っている。しかしこれに限らず，メールサーバ側からの呼出に基づいて行う携帯端末方式でもよい。また，インターネットファクシミリの他に，電話回線経由による通常のファクシミリ送受信も可能な併用型であってもよい。また，ファクシミリに限らず，普通の電子メールの送受信もできるようにしてもよい。その場合には，前述の所定の形式以外の形式の添付ファイルを受信したときに，その内容をプリントするようにしてもよい。また，本文部分の印刷をするようにユーザが設定することができないものであってもよい。言い換えると，図５の画面での選択が「印刷しない」に固定されているものであってもよい。また，本文部分，添付ファイルの内容とも，即座にプリントすることは必須でない。
【００３８】
【発明の効果】
以上の説明から明らかなように本発明によれば，余分なメモリを要することなく，紙の浪費を防止しつつ，エラーメール等の通常と異なる電子メールを受信した場合にそのことをユーザに確実に認識させることができるファクシミリ装置およびファクシミリ印刷プログラムが実現されている。
【図面の簡単な説明】
【図１】実施の形態に係るファクシミリ装置の外観図である。
【図２】実施の形態に係るファクシミリ装置のインターネットへの接続形態を示す図である。
【図３】本実施の形態に係るファクシミリ装置の操作パネルの上面図である。
【図４】実施の形態に係るファクシミリ装置の概略構成を示すブロック図である。
【図５】実施の形態に係るファクシミリ装置における，受信メールの本文部分の印刷をするかしないかを設定する画面を示す図である。
【図６】実施の形態に係るファクシミリ装置における，電子メール受信時における動作を説明するフローチャートである。
【図７】実施の形態に係るファクシミリ装置における，電子メール受信時における動作の別の例を説明するフローチャートである。
【図８】エラーメールを受信したときのプリント例を示す図である。
【符号の説明】
３１  中央制御部（添付ファイル判別手段等）
３６  通信制御部（電子メール受信手段）
【図１】
2004297513.tif 000003
【図２】
2004297513.tif 000004
【図３】
2004297513.tif 000005
【図４】
2004297513.tif 000006
【図５】
2004297513.tif 000007
【図６】
2004297513.tif 000008
【図７】
2004297513.tif 000009
【図８】
2004297513.tif 000010